(57)【要約】【課題】  本発明の第一の目的は、人の手首、径の異なる棒体、テーブルの縁部、窓の桟など様々な形状の箇所に安定的に掛止可能な傘の柄を提供すること。【解決手段】  傘本体の中棒挿入部分に握持部１０を形成するとともに握持部１０には第一の屈曲部１１を連接し、第一の屈曲部１１には第二の屈曲部１２を連接形成し、握持部端部と第一の屈曲部との連接基部１３外方に形成された屈曲部分を第一の掛止部１４とし、前記第一の屈曲部の内方底部を第二の掛止部１５とし、前記第二の屈曲部１２内方を第三の屈曲状掛止部１６とした。【選択図】  図１
2007020611.tif 000002
【特許請求の範囲】
【請求項１】
握持部と傘を掛けるための複数の屈曲状掛止部を形成したことを特徴とする傘の柄。
【請求項２】
傘本体の中棒挿入部分に握持部を形成するとともにこの握持部には第一の屈曲部を連接し、さらにこの第一の屈曲部には第二の屈曲部を連接形成し、前記握持部端部と前記第一の屈曲部との連接基部外方に形成された屈曲部分を第一の掛止部とし、前記第一の屈曲部の内方底部を第二の掛止部とし、前記第二の屈曲部内方を第三の掛止部としたことを特徴とする請求項１記載の傘の柄。
【請求項３】
第一の屈曲部は、手首挿入掛止部とすべく大径に形成したことを特徴とする請求項２記載の傘の柄。
【請求項４】
第一の屈曲部と第二の屈曲部との連接基部と傘本体の中棒とが略同軸上に位置し、掛止部で掛止した状態で傘が略垂直に掛止されることを特徴とする請求項２または３記載の傘の柄。
【請求項５】
傘本体の中棒挿入部分端部には、第一の屈曲部を連接しこの第一の屈曲部端部には握持部を連接し、この握持部端部には第二の屈曲部を連接形成し、前記第一の屈曲部を第一の掛止部とし、前記第二の屈曲部を第二の掛止部としたことを特徴とする請求項１記載の傘の柄。
【請求項６】
第二の屈曲部の先端部と傘本体の中棒とが略同軸上に位置し、屈曲掛止部で掛止した状態で傘が略垂直に掛止されることを特徴とする請求項５記載の傘の柄。
【請求項７】
屈曲部は湾曲状に屈曲したことを特徴とする請求項２乃至５記載の傘の柄。
【発明の詳細な説明】
【技術分野】
【０００１】
本発明は傘の柄にかかり、特に、複数の掛止部を有し、使用者の手首、手すり、テーブル、桟などの様々な箇所に安定的に掛止可能であるとともに、使用者が握持しやすい形状の傘の柄に関する。
【背景技術】
【０００２】
特許文献１および２に示されるように、従来、傘の柄は円柱状の握持部とこれに続く湾曲部を備えたJ字型に形成され、握持部には傘の中棒が挿入されている。使用者が傘をさすときには握持部を握り、不使用時には、湾曲部を手すり等の棒体に引っ掛けて掛止することが可能であった。特許文献１に示される傘の柄は、握持部側面に突起部を設け使用者が握持しやすい構造とし、また、特許文献２に示される傘の柄は握持部に滑り止めを設けて使用者が握持しやすい構造としている。
【０００３】
しかしながら、上記特許文献に示される傘の柄はいずれも、一の湾曲部を有するものであって、この湾曲部を比較的細い棒体に引っ掛けて掛止することは可能であるが、人の手首や径が異なる棒体、テーブル等の縁部、窓の桟など様々な箇所に安定的に掛止可能にするという発想はなかった。特に従来、傘を使用しないときには傘立てに収納するか、比較的小さい径の棒体に湾曲部を引っ掛けるしかなく、例えば、傘の柄をテーブルの縁や窓の桟に掛止した場合には、傘が落下し安定的に掛止することができなかった。
【０００４】
さらに、従来の傘の柄の湾曲部は、円柱状握持部の側端からアーチ型に湾曲しており湾曲部が傘本体の重心と同軸上に位置しないため、傘の使用時には安定的に握持することができず、また、湾曲部を棒体に引っ掛けた場合には傘本体が傾斜し安定的に掛止することができなかった。
【０００５】
また、従来の傘の柄において湾曲部の曲率が比較的小さいものは、手首に掛けることができず、曲率が大きいものは手首に掛けることができるが滑り落ちやすいという問題があった。
【特許文献１】実用新案登録３０２２６４２号公報
【特許文献２】特開２００１−３２７３１４号公報
【発明の開示】
【発明が解決しようとする課題】
【０００６】
上記問題点を解決すべく、本発明の第一の目的は、人の手首、径の異なる棒体、テーブルの縁部、窓の桟など様々な形状の箇所に安定的に掛止可能な傘の柄を提供することを目的とする。
【０００７】
本発明の第二の目的は、傘をさすときにはしっかりと握持することができ、傘の不使用時においても傘を安定して掛止できるよう傘全体と接続した状態で重心が安定する構造の傘の柄を提供することを目的とする。
【０００８】
本発明の第三の目的は、使用者が手首に掛止しやすく、また、掛止しても滑り落ちることのない傘の柄を提供することである。
【課題を解決するための手段】
【０００９】
上記目的を達成するため、握持部と傘を掛けるための複数の屈曲状掛止部を形成したことを特徴とする。
【００１０】
傘本体の中棒挿入部分に握持部を形成するとともにこの握持部には第一の屈曲部を連接し、さらにこの第一の屈曲部には第二の屈曲部を連接形成し、前記握持部端部と前記第一の屈曲部との連接基部外方に形成された屈曲部分を第一の掛止部とし、前記第一の屈曲部の内方底部を第二の掛止部とし、前記第二の屈曲部内方を第三の掛止部としたことを特徴とする。
【００１１】
請求項２記載の傘の柄において、第一の屈曲部は、手首挿入掛止部とすべく大径に形成したことを特徴とする
【００１２】
請求項２記載の傘の柄において、第一の屈曲部と第二の屈曲部との連接基部と傘本体の中棒とが略同軸上に位置し、掛止部で掛止した状態で傘が略垂直に掛止されることを特徴とする。
【００１３】
また、傘本体の中棒挿入部分端部には、第一の屈曲部を連接しこの第一の屈曲部端部には握持部を連接し、この握持部端部には第二の屈曲部を連接形成し、前記第一の屈曲部を第一の掛止部とし、前記第二の屈曲部を第二の掛止部としたことを特徴とする。
【００１４】
請求項５記載の傘の柄において、第二の屈曲部の先端部と傘本体の中棒とが略同軸上に位置し、屈曲掛止部で掛止した状態で傘が略垂直に掛止されることを特徴とする。
【００１５】
屈曲部は湾曲状に屈曲したことを特徴とする。
【発明の効果】
【００１６】
握持部と傘を掛けるための複数の屈曲状掛止部を形成したことにより、使用者の手首、手すり、テーブル、桟など様々な形状の箇所に傘を掛止することができるという効果がある。
【００１７】
傘本体の中棒挿入部分に握持部を形成するとともにこの握持部には第一の屈曲部を連接し、さらにこの第一の屈曲部には第二の屈曲部を連接形成し、前記握持部端部と前記第一の屈曲部との連接基部外方に形成された屈曲部分を第一の掛止部とし、前記第一の屈曲部の内方底部を第二の掛止部とし、前記第二の屈曲部内方を第三の掛止部としたことにより、第一の屈曲掛止部、第二の屈曲掛止部、第三の屈曲掛止部それぞれで傘を掛止することができる。特に、屈曲掛止部の曲率が異なる形状にすれば異なる径の棒体、テーブルの縁等様々な形状の箇所に安定的に傘を掛止することができる。
【００１８】
第一の屈曲部は、手首挿入掛止部とすべく大径に形成したことにより、傘を容易に手首に掛止することができるとともに、掛止した後は手首から滑り落ちることがない
【００１９】
第一の屈曲部と第二の屈曲部との連接基部と傘本体の中棒とが略同軸上に位置し、掛止部で掛止した状態で傘が略垂直に掛止されることにより、傘を様々な形状の箇所に掛止したときにも安定的に掛止され、滑り落ちることがない。また、手首に掛止したときにも石突が足に当たることがない。さらには、傘をさしたときにも少ない力で安定的に傘の柄を握持することができる。
【００２０】
傘本体の中棒挿入部分端部には、第一の屈曲部を連接しこの第一の屈曲部端部には握持部を連接し、この握持部端部には第二の屈曲部を連接形成し、前記第一の屈曲部を第一の掛止部とし、前記第二の屈曲部を第二の掛止部としたことにより、第一の掛止部と第二の掛止部それぞれで傘を掛止することができる。
【００２１】
第二の屈曲部の先端部と傘本体の中棒とが略同軸上に位置し、屈曲掛止部で掛止した状態で傘が略垂直に掛止されることにより、傘を様々な形状の箇所に掛止したときにバランスを保って安定的に掛止され滑り落ちることがない。また、手首に掛止したときにも石突が足に当たることがない。さらには、傘をさしたときにも少ない力で安定的に傘の柄を握持することができる。
【００２２】
屈曲部は湾曲状に屈曲したことにより、棒体や手首などの湾曲を有する部位に容易かつ安定的に掛止することができ、使用者も容易に握持することができる。
【発明を実施するための最良の形態】
【００２３】
図１は本願発明の第一の実施の形態を示す傘の柄の側面図、図２は図１に示す傘の柄を傘本体に取り付けた状態の傘の側面図である。傘の柄１は、傘本体３０の中棒挿入部分に握持部１０を形成し、握持部１０には第一の屈曲部１１を連接し、第一の屈曲部１１には第二の屈曲部１２を連接形成した形状になっている。
【００２４】
握持部の端部と第一の屈曲部との連接基部１３外方に形成された屈曲部分を第一の掛止部１４とし、第一の屈曲部１１の内方底部を第二の掛止部１５とし、さらに第一の屈曲部１１に連接された第二の屈曲部１２の内方を第三の掛止部１６としている。
【００２５】
具体的には、握持部１０は、杆体の中間部がなだらかな膨らみを有する形状になっている。これに連接される円柱状の棒体からなる第一の屈曲部１１の屈曲は円弧状に湾曲形成され所謂フック形状に形成されている。そして第一の屈曲部１１の連接基部１３外方は第一の掛止部１４として機能し内方底部が第二の掛止部１５として機能する。
【００２６】
第一の屈曲部１１は大径に形成され、その曲率は人間の手首に沿う程度であって、使用者が手首に掛けることができる手首挿入部分としても機能するようになっている。
【００２７】
第一の屈曲部１１先端部には第一の屈曲部１１の先端から延び、第一の屈曲部１１に比して曲率の小さい湾曲アーチ状の第二の屈曲部１２が連接されこの内方底部が第三の掛止部１６として機能する。この第二の屈曲部１２を構成する棒体の幅は第一の屈曲部１１を構成する棒体の幅に比して小さく、幅の狭い箇所への掛止部として機能するようになっている。
【００２８】
また、本実施の形態において握持部１０の軸は傘本体の中棒３１に対して先端部１８方向へ若干の傾斜、好ましくは５°〜７°の傾斜を有し、傘をさしたときに使用者がしっかりと握持できる。第一の屈曲部と第二の屈曲部の連接基部１７と傘本体の中棒３１とが略同軸上に位置するように形成されているので掛止部１４〜１６で掛止した状態で傘本体３０が略垂直に掛止される重心構造になっている。また傘の柄１を構成する棒体の幅が狭い部分は地厚、かつ、幅が広い部分は地薄に形成しているので傘の柄１全体の軟度が均一となりさらに安定して掛止可能な構造になっている。
【００２９】
また、第一の屈曲部と第二の屈曲部の連接基部１７と握持部の端部と第一の屈曲部との連接基部１３との開口幅は３０mm〜５０mm程度が望ましい。これにより人間の手首を容易に挿入することができ、挿入後は拳部分が引っかかるので滑り落ちることがない。
【００３０】
また傘の柄１は例えば、ポリプロピレン等の合成樹脂からなり一体に型押し成型されていて、多少の弾性を有することが望ましい。これにより、掛止する箇所の大きさや幅にある程度柔軟に対応することが可能で、手首も容易に挿入することができる。尚、材料はこれに限られるものではなく、合成樹脂以外の材料を用いて形成してもよい。
【００３１】
本願第一の実施の形態において傘の柄１は２つの屈曲部とこれにより形成される３つの掛止部からなるが屈曲部および掛止部の数はこれに限られるものではない。
【００３２】
次に図３〜図９に基づいて図１、図２に示す傘の柄１の使用態様を説明する。図３は、棒体４に傘の柄１を掛止した状態の側面図である。図３に示すように第一の掛止部１４、第二の掛止部１５、第三の掛止部１６それぞれに棒体４を掛止することが可能である。尚、図３において掛止される棒体４は一種類の径で示しているが、棒体の径はこれに限られるものではなく、径の大きい棒体に掛止するときには第一の掛止部１４または第二の掛止部１５を用い、径の小さい棒体に掛止するときには第三の掛止部１６を用いてもよい。
【００３３】
図４は、テーブルの縁部に傘の柄１を掛止した状態の側面図である。連接基部１７がテーブル５の表面５０に当接するように掛止するとテーブルの縁部５１は第一の屈曲部１１の内方に挿入される。このとき、連接基部１７は傘の中棒３１と略同軸上に位置するので傘本体３０とのバランスが保たれ傘３を略垂直にまた安定的に掛止することができる。
【００３４】
図５は、壁等に設けられている比較的幅の狭い突起部、本実施の形態においては壁に形成された桟６に傘の柄１を掛止した状態の側面図である。第二の掛止部１６の先端部１８を桟６に掛止すると、幅細に形成された先端部１８に傘本体３０の重みがかかるとともに傘本体３０の側面は沿うように掛止され、傘の柄１はしっかりと掛止される。このとき連接基部１７は傘の中棒３１と略同軸上に位置するので傘本体３０が略垂直に掛止され、傘３を安定的に掛止することができる。
【００３５】
図６は板体７の頂部７１に傘の柄１を掛止した状態の側面図である。第一の掛止部１４に頂部７１が当接するように掛止すると、傘本体３０が板体側面７２に沿うように掛止され、傘３を安定的に掛止することができる。
【００３６】
図７は角状のブロック８に傘の柄１を掛止した状態の側面図である。ブロック８に第一の掛止部１４を掛止すると、第一の掛止部１４は直角に近いカーブからなるのでブロック７の屈曲に沿って掛止することが可能で、第一の湾曲部１１の外方がブロック８の上面８１に、握持部１０の側面がブロック側面８２に当接し、二点で傘本体３０を略垂直に掛止するので傘３安定的に掛止することができる。
【００３７】
図８は傘をさした状態における傘の柄１を示した側面図である。使用者が傘をさすときには、手９で握持部１０をしっかりと握って握持する。握持部１０は杆体の中間部が膨らみを有する形状であるので人間の手９の掌の窪みにぴったりと収まりしっかりと握持できるようになっている。尚、手９が小さい子供が傘３をさすとき、また、風が強いときには握持した手９と反対の手を第一の湾曲部１１に添えてしっかりと握持することもできる。
【００３８】
図９は傘の柄１を手首９１に掛けた状態の斜視図である。傘の柄を手首９１に掛けるときには、先端部１８と連接基部１３との開口部から第一の屈曲部１１内方に手首９１を挿入する。また挿入した後には拳を作れば連接基部１７と連接基部１３の開口に拳または手首が引っかかり傘の柄１が手首９１から傘の柄１が滑り落ちることはない。
【００３９】
図１０は本願発明の第二の実施の形態を示す傘の柄の側面図である。傘の柄２は、傘本体の中棒挿入部分端部２０には、第一の屈曲部２１を連接しこの第一の屈曲部端部には杆状の握持部２３を連接し、この握持部端部には第二の屈曲部２２を連接形成し、第一の屈曲部２１を第一の掛止部２４とし、第二の屈曲部２２を第二の掛止部２５としている。
【００４０】
具体的には、傘の柄２は円柱状の棒体で形成され、傘本体の中棒挿入部の端部２０から略直角にアーチ状のカーブを有しながら湾曲する第一の屈曲部２１を連接し、さらに、第一の屈曲部２１の先端から上方に向かって直線状に握持部２３が連接され、またさらに、握持部２３の先端には第一の屈曲部２１の屈曲と対向する方向に向かってアーチ状のカーブを有しながら湾曲する第二の屈曲部２２が連接されている。第一の屈曲部２１の内方底部が第一の掛止部２４として機能し、第二の屈曲部２２の内方底部が第二の掛止部２５として機能する。
【００４１】
さらに、第二の屈曲部２２の先端部２６と傘本体の中棒３１とが略同軸上に位置するように形成されているのでそれぞれの屈曲掛止部で掛止した状態で傘本体が略垂直に掛止される重心構造になっている。
【００４２】
また傘の柄２は例えばポリプロピレン等の合成樹脂からなり型押し成型されていて、多少の弾性を有することが望ましい。これにより、掛止部の大きさや幅にある程度柔軟に対応することが可能で、例えば手首等を容易に挿入することができる。尚、材料はこれに限られるものではなく、合成樹脂以外の材料を用いて形成してもよい。
【００４３】
本願第二の実施の形態において傘の柄２は２つの屈曲部とこれにより形成される２つの掛止部からなるが屈曲部および掛止部の数はこれに限られるものではない。
【００４４】
図１１に基づき傘の柄２の使用態様を説明する。図１１は、棒体４に傘の柄２を掛止した模式図である。第一の掛止部２４、第二の掛止部２５、それぞれに棒体４を掛止することが可能である。尚、図１１において掛止される棒体４は一種類の径で示しているが、棒体の径はこれに限られるものではなく、これより径が大きくても小さくてもよく、さらには人間の手首に掛止してもよい。
【図面の簡単な説明】
【００４５】
【図１】本願発明の第一の実施の形態を示す傘の柄の側面図。
【図２】図１に示す傘の柄を傘本体に取り付けた状態の傘の側面図。
【図３】棒体に図１に示す傘の柄を掛止した状態の側面図。
【図４】テーブルの縁部に図１に示す傘の柄を掛止した状態の側面図。
【図５】壁に形成された桟に図１に示す傘の柄を掛止した状態の側面図。
【図６】板体の頂部に図１に示す傘の柄を掛止した状態の側面図。
【図７】角状のブロックに図１に示す傘の柄を掛止した状態の側面図。
【図８】傘をさした状態における図１に示す傘の柄を示した側面図。
【図９】図１に示す傘の柄を手首に掛けた状態の斜視図。
【図１０】本願発明の第二の実施の形態を示す傘の柄の側面図。
【図１１】棒体に図１０に示す傘の柄を掛止した状態の側面図。
【符号の説明】
【００４６】
１    傘の柄
１０  握持部
１１  第一の屈曲部
１２  第二の屈曲部
１３  連接基部
１４  第一の掛止部
１５  第二の掛止部
１６  第三の掛止部
１７  連接基部
１８  先端部
２    傘の柄
２１  第一の屈曲部
２２  第二の屈曲部
２３  握持部
２４  第一の掛止部
２５  第二の掛止部
２６  先端部
３    傘
３０  傘本体
３１  傘本体中棒
４    棒体
５    テーブル
５０  テーブル表面
５１  テーブル縁部
６    桟
７    板体
７１  板体頂部
７２  板体側面
８    ブロック
８１  ブロック上面
８２  ブロック側面
９    手
９１  手首
【図１】
2007020611.tif 000003
【図２】
2007020611.tif 000004
【図３】
2007020611.tif 000005
【図４】
2007020611.tif 000006
【図５】
2007020611.tif 000007
【図６】
2007020611.tif 000008
【図７】
2007020611.tif 000009
【図８】
2007020611.tif 000010
【図９】
2007020611.tif 000011
【図１０】
2007020611.tif 000012
【図１１】
2007020611.tif 000013